(57)【要約】      （修正有）【課題】犬の患部舐め防止用のエリザベスカラーの嵩張り、衝突音の発生を無くす首巻きを提供する。【解決手段】首巻き１は、帯状の袋体２に、通気性及びクッション性を有する保形材５を充填して形成する。さらに、両端は、着脱可能な係止手段６で止まっている。首巻き１の長さ、幅及び厚みは、犬７が、手足や腹部の患部を舐めようとしても、首巻き１が邪魔になって口が患部に届くまで首を大きく傾けることができない様な寸法であればよく、犬種等に応じて、サイズを決める。一般的には、首巻き１の長さは、犬７の首を略一周する長さで、幅は犬７の首の長さより少し小さくすることが、装着性及び着用目的に対する効果に優れている。【選択図】図１
0003158271.tif 000002
【実用新案登録請求の範囲】
【請求項１】
犬や猫の動物の首に巻き付けて使用する患部舐め防止用の首巻きであって、患部を舐めようとしても該首巻き(１)によって首を大きく傾けることを阻止できる幅、厚み及び通気性を有し、且つクッション性を有するが原形復帰力の強い特性を有しており、係止手段(６)によって着脱可能に係止されて首からの脱落が防止される、患部舐め防止用の首巻き。
【請求項２】
動物の首を略一周する長さである、請求項１に記載の患部舐め防止用首巻き。
【請求項３】
帯状の袋体に保形材を充填して形成されている、請求項１又は２に記載の患部舐め防止用首巻き。
【請求項４】
表面は布で形成され、該布は蓄熱マイクロカプセルを含浸して繊維の表面温度を一定に保つ機能を有している、請求項１乃至３の何れかに記載の患部舐め防止用首巻き。
【考案の詳細な説明】
【技術分野】
【０００１】
本考案は、犬や猫の首に巻いて、傷口や発疹等の患部を舐めることを防止するための首巻きに関する。
【背景技術】
【０００２】
従来より、犬や猫の動物(以下、代表して「犬」とする)が手術後の傷口や発疹等の患部を舐めて悪化させたり、治癒を遅らせることを防止するために、エリザベスカラーを装着することが行われている。
エリザベスカラーには大きく分けて、薄手の合成樹脂板によって両端開口の円錐台を展開した状態に形成されたものと、首に巻く浮輪タイプのものがある。
【考案の概要】
【考案が解決しようとする課題】
【０００３】
前者のエリザベスカラーは、犬の首に巻いて外開きの円錐台となる様にホックで止めて使用する。従って、犬の目の位置より前方にその大径の開口縁が拡がるから、嵩張って視野の妨げとなり、又、開口縁までの距離感がつかめずに歩行に支障を来す。このため、室内を歩くとエリザベスカラーが頻繁に家具や壁に当たり、又、散歩の際には電柱等の障害物に当たって、その衝撃で犬の首に負担が掛かる。又、当たる毎に「コンコン」と音を発するので、犬にストレスが掛かる。犬に掛かるストレスは、犬以上に飼い主にストレスを感じさせる。
【０００４】
後者のエリザベスカラーは、空気を注入して膨らませて使用するから、空気注入の手間が掛かり、又、エリザベスカラーを外したときに、犬が該カラーに噛みついて孔を明けてしまい、使用不可となることがあった。
又、エリザベスカラーに通気性がないので、長時間の使用で首が蒸れて着用感が悪い。
本考案は、首より前方に突出しない患部舐め防止用首巻きを明らかにすることにより、従来のエリザベスカラーの問題を解決するものである。
【課題を解決するための手段】
【０００５】
請求項１は、犬や猫の動物の首に巻き付けて使用する患部舐め防止用の首巻き(１)であって、患部を舐めようとしても該首巻き(１)によって首を大きく傾けることを阻止できる幅、厚み及び通気性を有し、且つクッション性を有するが原形復帰力の強い特性を有しており、係止手段(６)によって着脱可能に係止されて首からの脱落が防止される。
【０００６】
請求項２は、請求項１に記載の患部舐め防止用首巻きにおいて、その長さは装着対象の動物の首を略一周する長さである。
【０００７】
請求項３は、請求項１又は２に記載の患部舐め防止用首巻きにおいて、帯状の袋体(２)に保形材(５)を充填して形成されている。
【０００８】
請求項４は、請求項１乃至３の何れかに記載の患部舐め防止用首巻きにおいて、表面は布(４)で形成され、該布は蓄熱マイクロカプセルを含浸して繊維の表面温度を一定に保つ機能を有している。
【考案の効果】
【０００９】
首巻き(１)を犬の首に巻いて係止手段(６)によって止める。
犬が、手足や腹部の傷口、発疹、湿疹等の患部を舐めたり噛んだりしようとしても、首巻き(１)の幅、厚み、弾性復帰力の強さが邪魔になって口が患部に届くまで首を大きく傾けることができない。従って、患部を噛んだり、薬を舐め取って患部を悪化させたり、治癒を遅らせたりすることを防止できる。又、犬が直接に薬を舐めることによる害を無くすことができる。
【００１０】
首巻き(１)の装着によって、首を大きく傾けることに無理があっても、首を左右に回すことは出来、又、首巻き(１)は犬の視野から外れているから、視界を遮ることもない。従って、犬の歩行に支障はない。
又、歩行の際に、首巻き(１)が家具、壁、電柱等に当たることもなく、万一、当たってもクッション性を有しているから、従来のエリザベスカラーの様に、首に衝撃を感じたり、音を発することによるストレスを感じることもない。
【００１１】
首巻き(１)は通気性を有しているので、長時間着用しても蒸れることがなく、不快感を抑えることができる。又、浮き輪タイプの様に空気を注入する手間や、孔明きの問題は生じない。
【００１２】
首巻き(１)の表面を蓄熱マイクロカプセルを含浸させた布(４)で形成すれば該首巻き(１)の表面を一定温度に保って、夏場でも心地よい装着感を得ることができる。
【００１３】
冬場では首巻き(１)が防寒具の役割をなし、洋服との組み合せにより、寒中でも快適に散歩を楽しむことができる。
【図面の簡単な説明】
【００１４】
【図１】首巻きの使用状態の斜視図である。
【図２】首巻きの一部を破断した展開状態の正面図である。
【図３】同上の平面図である。
【考案を実施するための形態】
【００１５】
図１は、小型犬(７)、具体的にはミニチュアダックスフンドが本発明の首巻き(１)を使用している状態を示している。
首巻き(１)は、帯状の袋体(２)に、通気性及びクッション性を有する保形材(５)を充填して形成される。
【００１６】
首巻き(１)の長さ、幅長さ及び厚みは、犬(７)が、手足や腹部の患部を舐めようとしても、首巻き(１)が邪魔になって口が患部に届くまで首を大きく傾けることができない様な寸法であればよく、犬種等に応じて、サイズを決めればよい。
一般的には、首巻き(１)の長さは、犬(７)の首を略一周する長さ、幅長さは犬(７)の首長さより少し小さくすることが、装着性及び着用目的に対する効果に優れている。
【００１７】
実施例の首巻き(１)の場合、長さ約４０cm、幅長さ約８cm、厚み約５cmである。
【００１８】
袋体(２)は、実施例では、蓄熱マイクロカプセル(大和化学工業製、製品プレサーモＣ−２５)を含浸させた布(４)で形成した。
蓄熱マイクロカプセルは、周囲の熱変化によって吸熱と放熱を繰り返して温度制御する機能を有し、繊維の表面を一定温度(実施例の場合、約２５℃)に保つ機能を有する。
上記布(４)には、通気を画る目的で均一分布に小孔(41)が開設されている。
又、袋体(２)の全長に亘ってファスナー(図示せず)を取り付けて、下記の保形材(５)の挿脱を可能にして、袋体(２)を単独で洗濯可能とすることもできる。
【００１９】
保形材(５)は、通気性及びクッション性を有するだけでは足らず、原形復帰力の強い特性を有している。水切れもよく、きつく絞ると直ぐに乾く。実施例の保形材(５)は、ポリエチレン糸が立体的に絡み合って厚手のシート状を呈するフィルター体を、必要大きさに裁断したものである。
【００２０】
実施例の係止手段(６)は、カバンの開閉、布ベルトの接続等に広く実施されて公知のものであって、夫々合成樹脂にて形成され首巻き(１)の一端に取り付けた雌部材(61)と他端に取り付けた雄部材(62)とによって構成される。
【００２１】
雌部材(61)は基端が短い布ベルト(63)を介して首巻き(１)の一端に取り付けられ、先端に雄部材(62)の先端部を挿入するソケット部(64)を有している。
雄部材(62)は基端が布ベルト(65)を介して首巻き(１)の他端に取り付けられる。該布ベルト(65)は長さ調節可能に雄部材(62)に係合している。
雄部材(62)の先端には前記雌部材(61)のソケット部(64)に挿入するバネ作用有するプラグ部(66)及び該プラグ部のバネ作用に抗してプラグ部(66)の幅を縮める押し片(67)(67)を具えている。
雄部材(62)のプラグ部(66)を雌部材(61)のソケット部(64)に嵌めると、ソケット部(64)内でロックされ抜止めが画られる。プラグ部(66)の両押し片(67)(67)を内側に押すと、抜止めが解除される。
【００２２】
然して、手術後の傷口、発疹、湿疹等の患部を治療中の犬(７)の首に首巻き(１)を巻いて係止手段(６)によって止める。雄部材(62)のベルト(65)の長さ調整によって、ある程度の首の太さの違いに対応でき、緩過ぎず、又、窮屈過ぎずに首巻き(１)を装着できる。
首巻き(１)の保形材(５)は原形復帰性が強いが、実施例の係止手段(６)では、確実にロックが効き不用意に外れる虞れはない。
【００２３】
犬(７)が患部を舐めたり噛んだりしようとしても、首巻き(１)の幅、厚み、硬さが邪魔になって口が患部に届くまで首を大きく傾けることができず、即ち、患部を舐めたり噛んだりできない。従って、患部を噛んで傷口を拡げたり、患部に塗った薬を舐め取って治癒を遅らせたりすることを防止できる。又、薬を直接に舐めることによる犬への害を無くすことができる。
【００２４】
首巻き(１)の装着によって、首を大きく傾けることに無理があっても、首を左右に回すことは出来、又、首巻き(１)は犬の視野から外れているから、視界を遮ることもない。従って、犬の歩行に支障はない。
又、歩行の際に、首巻き(１)が家具、壁、電柱等に当たることもなく、万一、当たっても、従来のエリザベスカラーの様に、首に衝撃を感じたり、音を発することによるストレスを感じることもない。
【００２５】
首巻き(１)の表面を蓄熱マイクロカプセルを含浸させた布(４)で形成しているので、該首巻き(１)の表面を一定温度に保って、夏場でも心地よい装着感を付与できる。
【００２６】
冬場では首巻き(１)が防寒具の役割をなし、洋服との組み合せにより、寒中でも快適に散歩を楽しむことができる。
【００２７】
首巻き(１)は丸洗いできるので、頻繁に洗濯して清潔さを保つことができる。
【符号の説明】
【００２８】
１  首巻き
２  袋体
４  布
５  保形材
６  係止手段
【図１】
0003158271.tif 000003
【図２】
0003158271.tif 000004
【図３】
0003158271.tif 000005